(57)【要約】【課題】防風網等屋外に設置される網構造の開閉に掛かる労力と時間を大幅に軽減することのできる、一括開閉網システム一括開閉網システムを提供すること。【解決手段】一括開閉網システム５０を、連設される複数の単位網構造１５とエンドレスワイヤ機構３０から構成する。単位網１１の固定端部１１Ｓは支柱１４２に固定され、摺動端部１１Ｆにはワイヤ止着部１３が設けられる。エンドレスワイヤ３３は複線構造Ｔが形成された構成で張設され、同一の側方方向に移動して全単位網１１の同時かつ同一方向への開閉がなされるよう、上下それぞれの複線構造Ｔを形成する各二本の線のうち周回時の移動方向Ｍが上下間で相互に同じである特定の一方の線に各単位網１１が止着される。【選択図】  図２
2004298010.tif 000002
【特許請求の範囲】
【請求項１】
左右方向に開閉可能な単位網構造が左右方向に二以上連続して設けられて連続網構造をなし、該連続網構造には各単位網を一括開閉させるためのエンドレスワイヤ機構が設けられ、かかる連続網構造とエンドレスワイヤ機構からなる一括開閉網システムであって、
（Ａ−１）該単位網構造は、略矩形状をなす単位網と、これを支持する支持構造とからなり、
（Ａ−２）該単位網の一方の側方端部は該支持構造上に固定され（以下、「固定端部」という。）、他方の側方端部は該支持構造上で摺動可能（以下、「摺動端部」という。）であり、
（Ａ−３）該単位網の摺動端部は、その上端部と下端部にそれぞれ後記エンドレスワイヤに止着されるワイヤ止着部が設けられ、
（Ｂ−１）該エンドレスワイヤ機構は、周回運動の可能なエンドレスワイヤと、その周回運動を駆動するためにこれに設けられた駆動装置とからなり、
（Ｂ−２）該エンドレスワイヤは、該連続網構造のなす略矩形の一部である略コの字形（または略逆コの字形。）の三辺に沿って張設されかつ該略コの字形（または略逆コの字形。）の両末端部においてそれぞれ折返しのなされる複線構造が形成された構成で張設され、これによって該単位網の開閉方向と平行に該ワイヤによる複線構造が該連続網構造の上下各側にそれぞれ形成されており、
（Ｂ−３）該エンドレスワイヤ上には、各単位網の前記上下のワイヤ止着部がそれぞれ止着されて、上下二箇所の連続網止着領域が形成され、
（Ｂ−４）該上下二箇所の連続網止着領域がエンドレスワイヤの周回の際に同一の側方方向（左右方向。）に移動して全単位網の同時かつ同一方向への開閉がなされるように、前記上下それぞれの複線構造において、これらを形成する各二本の線のうち周回時の移動方向が上下間で相互に同じである特定の一方方向の線（以下、「並行線」という。）に各単位網が止着されている、
ことを特徴とする、一括開閉網システム。
【請求項２】
請求項１に記載の一括開閉網システムであって、前記支持構造は、
（Ａ−４）前記単位網を固定するために立設された支柱と、
（Ａ−５）該単位網の開閉方向に、その垂直方向の支持を補強するために一本または複数本横設されたワイヤ（以下、「支持ワイヤ」という。）とからなる、
ことを特徴とする、一括開閉網システム。
【請求項３】
請求項２に記載の一括開閉網システムであって、
（Ａ−６）前記単位網には、これを前記支持ワイヤ上で開閉方向に摺動させるための、該支持ワイヤを挿通できる摺動用リングが、一本の支持ワイヤ当たり一または複数設けられている、
ことを特徴とする、一括開閉網システム。
【請求項４】
請求項３に記載の一括開閉網システムであって、
（Ａ−７）前記単位網構造は、いずれも同一間隔および同一仕様にて連設されていることにより、
（Ｂ−５）前記エンドレスワイヤ機構を駆動、周回させると、各単位網が水平方向に同時に同一変位量摺動し、これによって各単位網構造において同時に同一変位量の開閉がなされることを特徴とする、一括開閉網システム。
【請求項５】
請求項４に記載の一括開閉網システムであって、
（Ｂ−６）前記エンドレスワイヤの折り返し構造は、方向反転用ガイドプーリに前記ワイヤが掛け回されることにより形成されている、
ことを特徴とする、一括開閉網システム。
【請求項６】
請求項５に記載の一括開閉網システムであって、
（Ｂ−７）前記エンドレスワイヤ中、前記上下の複線構造間をつなぐ部分においても、方向転換用ガイドプーリに該ワイヤが掛け回されることにより方向転換がなされる、
ことを特徴とする、一括開閉網システム。
【請求項７】
請求項６に記載の一括開閉網システムであって、
（Ｂ−８）前記エンドレスワイヤは、前記上下の複線構造間をつなぐ部分において、ワイヤが交差している構造（以下、「ワイヤ交差構造」という。）が一箇所あり、これにより上下二本の前記並行線として、いずれもより連続網構造に近い方の線を用いることができる、
ことを特徴とする、一括開閉網システム。
【請求項８】
請求項３ないし７のいずれかに記載の一括開閉網システムであって、
（Ａ−８）前記単位網の摺動端部には、風等による網のめくれの防止、および該単位網の摺動における局部的な遅延を防止するための縁構造が設けられている、ことを特徴とする、一括開閉網システム。
【請求項９】
請求項８に記載の一括開閉網システムであって、
（Ａ−９）前記縁構造は、前記摺動端部に帯状に設けられた透明または半透明の材料からなる、
ことを特徴とする、一括開閉網システム。
【請求項１０】
防風用に用いられることを特徴とする、請求項１ないし９のいずれかに記載の一括開閉網システム。
【発明の詳細な説明】
【０００１】
【発明の属する技術分野】
本発明は一括開閉網システムに係り、特に、防風網等屋外に設置される網構造の開閉に掛かる労力と時間を軽減することのできる、一括開閉網システムに関する。
【０００２】
【従来の技術】
農業その他の屋外作業環境を有する分野では、防風、防砂、防虫等を目的として、適宜開閉の可能な網構造の設置が多くなされている。しかしその開閉作業には相当の労力、時間、および危険性が伴うため、これらの課題解決を目的とした網構造の提案が、従来からなされている。
【０００３】
このうち、特開２００１−６９８６１号公報に開示された「防風網装置」では、  柱への防風網の取付けや張る操作をすべて地上で簡単に操作できる装置の提供という課題に対し、柱側面に付けたガイドレールと地面のすきまから、網に取り付けた連接金具を挿入し、網上部の紐を柱上部の紐通し環を通して下方に引くことのできる構成により、網の上下方向開閉を操作できる、という解決手段を提案している（特許文献１）。
【０００４】
また、特開平１０−８８５２６号公報に開示された「防風用ネット支持装置」では、ネット支柱上での開閉作業の危険性をなくし労力を軽減するという課題に対し、  防風用ネットを二本の支柱に張設した支持ワイヤに吊り具により移動自在に取付けて防風用ネットとし、該防風用ネットの一側方端にネット引き棒を取り付け、ネット引き棒の上端には逆ハの字状の姿勢で乗る一対の滑車を軸支する滑車支持枠を設け、防風用ネットの上方に横設したガイド棒上に滑車支持枠を載せる構成を提案している。かかる構成により、ネット引き棒をネット開閉方向に作用させると、滑車がガイド棒上を転動して、ネットを開閉できる、という解決手段提案である（特許文献２）。
【０００５】
また、特開２００２−８８７１９号公報に開示された「防風網装置」では、通気性の調整や各種機械の出入りや除草その他各種作業等に際し、開閉状態を自在に確保できる防風網装置の提供という課題に対し、二本の支柱間に軌道用横架材を連結して防風枠とし、防風枠内には上下所定間隔をおいて複数本の補強用架線を張り巡らし、防風枠内の略全域を覆う防風網をその上端縁において軌道用横架材に左右移動自在に吊着し、かつ補強用架線それぞれに左右移動自在に張設された上、左右いずれか一方端縁を左右開閉誘導杆に連結するとともに、同下端縁から最下位の補強用架線までの範囲を、上下方向開閉自在の構造に形成する構成によって、防風枠内の防風網単位で網を左右、上下に開閉できる手段を提案している（特許文献３）。
【０００６】
【特許文献１】
特開２００１−６９８６１号公報、発明の名称「防風網装置」。明細書中、特許請求の範囲の請求項１。発明の詳細な説明の「従来の技術」〜「課題を解決するための手段」：段落０００２〜０００９。図面中、図１。
【特許文献２】
特開平１０−８８５２６号公報、発明の名称「防風用ネット支持装置」。明細書中、発明の詳細な説明の「従来の技術」〜「課題を解決するための手段」：段落０００２〜０００５、「発明の実施の形態」：０００８〜００１１。図面中、図１および図３。
【特許文献３】
特開２００２−８８７１９号公報、発明の名称「防風網装置」。明細書中、発明の詳細な説明の「従来の技術」：段落０００２〜０００５、「実施例１」：００２３〜００２６、「作用」：００３２。図面中、図１および図２。
【０００７】
【発明が解決しようとする課題】
しかし、これら従来技術には以下のような欠点がある。
（Ｘ１）網を上方に引き上げることによって開く構成は、作業時に掛かる荷重が大きいためにその用途には限界があり、通常の防風網としては、開閉作業の労力軽減と時間短縮には、明らかに限界がある（特許文献１、３開示の技術）。
【０００８】
（Ｘ２）左右方向への開閉操作は、たとえ特許文献２に開示された技術のように滑車の転動可能なガイド棒を網上方に横設する構造をとったとしても、結局開閉作業としては防風網全体を範囲として行うものであるため、開閉作業には、防風網の設置される長さに応じて相当の労力と時間が掛かる（特許文献２、３開示の技術）。
【０００９】
本発明の課題は、かかる従来技術の欠点を克服し、防風網等屋外に設置される網構造の開閉に掛かる労力と時間を大幅に軽減することのできる、一括開閉網システム一括開閉網システムを提供することである。
【００１０】
【課題を解決するための手段】
本願発明者は上記課題につき鋭意検討し、左右方向に開閉可能な単位網構造を左右方向に二以上連続させて連続網構造を設け、さらにこれには各単位網を一括開閉させるためのエンドレスワイヤ機構を設けることによって、上記課題を解決できることを見出した。すなわち、上記課題を解決するための手段として、本願で特許請求される発明は以下のとおりである。
【００１１】
（１）  左右方向に開閉可能な単位網構造が左右方向に二以上連続して設けられて連続網構造をなし、該連続網構造には各単位網を一括開閉させるためのエンドレスワイヤ機構が設けられ、かかる連続網構造とエンドレスワイヤ機構からなる一括開閉網システムであって、
（Ａ−１）該単位網構造は、略矩形状をなす単位網と、これを支持する支持構造とからなり、
（Ａ−２）該単位網の一方の側方端部は該支持構造上に固定され（以下、「固定端部」という。）、他方の側方端部は該支持構造上で摺動可能（以下、「摺動端部」という。）であり、
（Ａ−３）該単位網の摺動端部は、その上端部と下端部にそれぞれ後記エンドレスワイヤに止着されるワイヤ止着部が設けられ、
（Ｂ−１）該エンドレスワイヤ機構は、周回運動の可能なエンドレスワイヤと、その周回運動を駆動するためにこれに設けられた駆動装置とからなり、
（Ｂ−２）該エンドレスワイヤは、該連続網構造のなす略矩形の一部である略コの字形（または略逆コの字形。）の三辺に沿って張設されかつ該略コの字形（または略逆コの字形。）の両末端部においてそれぞれ折返しのなされる複線構造が形成された構成で張設され、これによって該単位網の開閉方向と平行に該ワイヤによる複線構造が該連続網構造の上下各側にそれぞれ形成されており、
（Ｂ−３）該エンドレスワイヤ上には、各単位網の前記上下のワイヤ止着部がそれぞれ止着されて、上下二箇所の連続網止着領域が形成され、
（Ｂ−４）該上下二箇所の連続網止着領域がエンドレスワイヤの周回の際に同一の側方方向（左右方向。）に移動して全単位網の同時かつ同一方向への開閉がなされるように、前記上下それぞれの複線構造において、これらを形成する各二本の線のうち周回時の移動方向が上下間で相互に同じである特定の一方方向の線（以下、「並行線」という。）に各単位網が止着されていることを特徴とする、一括開閉網システム。
【００１２】
（２）  （１）に記載の一括開閉網システムであって、前記支持構造は、
（Ａ−４）前記単位網を固定するために立設された支柱と、
（Ａ−５）該単位網の開閉方向に、その垂直方向の支持を補強するために一本または複数本横設されたワイヤ（以下、「支持ワイヤ」という。）とからなることを特徴とする、一括開閉網システム。
【００１３】
（３）  （２）に記載の一括開閉網システムであって、
（Ａ−６）前記単位網には、これを前記支持ワイヤ上で開閉方向に摺動させるための、該支持ワイヤを挿通できる摺動用リングが、一本の支持ワイヤ当たり一または複数設けられていることを特徴とする、一括開閉網システム。
【００１４】
（４）  （３）に記載の一括開閉網システムであって、
（Ａ−７）前記単位網構造は、いずれも同一間隔および同一仕様にて連設されていることにより、
（Ｂ−５）前記エンドレスワイヤ機構を駆動、周回させると、各単位網が水平方向に同時に同一変位量摺動し、これによって各単位網構造において同時に同一変位量の開閉がなされることを特徴とする、一括開閉網システム。
【００１５】
（５）  （４）に記載の一括開閉網システムであって、
（Ｂ−６）前記エンドレスワイヤの折り返し構造は、方向反転用ガイドプーリに前記ワイヤが掛け回されることにより形成されていることを特徴とする、一括開閉網システム。
【００１６】
（６）  （５）に記載の一括開閉網システムであって、
（Ｂ−７）前記エンドレスワイヤ中、前記上下の複線構造間をつなぐ部分においても、方向転換用ガイドプーリに該ワイヤが掛け回されることにより方向転換がなされることを特徴とする、一括開閉網システム。
【００１７】
（７）  （６）に記載の一括開閉網システムであって、
（Ｂ−８）前記エンドレスワイヤは、前記上下の複線構造間をつなぐ部分において、ワイヤが交差している構造（以下、「ワイヤ交差構造」という。）が一箇所あり、これにより上下二本の前記並行線として、いずれもより連続網構造に近い方の線を用いることができることを特徴とする、一括開閉網システム。
【００１８】
（８）  （３）ないし（７）のいずれかに記載の一括開閉網システムであって、（Ａ−８）前記単位網の摺動端部には、風等による網のめくれの防止、および該単位網の摺動における局部的な遅延を防止するための縁構造が設けられていることを特徴とする、一括開閉網システム。
【００１９】
（９）  （８）に記載の一括開閉網システムであって、
（Ａ−９）前記縁構造は、前記摺動端部に帯状に設けられた透明または半透明の材料からなることを特徴とする、一括開閉網システム。
【００２０】
（１０）  防風用に用いられることを特徴とする、（１）ないし（９）のいずれかに記載の一括開閉網システム。
【００２１】
本発明において単位網構造とは、略矩形状をなす単位網と、これを支持する支持構造とからなる構造であり、本発明の一括開閉網システムにおいて開閉の単位となる構造をいう。支持構造には、支柱、支持ワイヤが含まれる。支持ワイヤは、単位網の開閉方向に、その垂直方向の支持を補強するために一本または複数本横設されたワイヤである。
【００２２】
またエンドレスワイヤ機構とは、周回運動の可能なエンドレスワイヤと、その周回運動を駆動するためにこれに設けられた駆動装置からなる構成をいう。
【００２３】
また複線構造とは、エンドレスワイヤをなすワイヤ上の一部分と他の部分とが相互に近接して略平行をなしている領域における状態をいい、複線構造をなすそれぞれの線（ワイヤ上の部分。）は、エンドレスワイヤの周回運動の際の移動方向は相互に逆方向である。また並行線とは、連続網構造に沿って設けられる上下それぞれの複線構造において、これらを形成する各二本の線のうち周回時の移動方向が、上下間で相互に同じである特定の一方方向の線のことをいう。
【００２４】
【発明の実施の形態】
以下、本発明を図面により詳細に説明する。なお、本発明は以下の実施例に限定されるものではない。以下、図中、同一の構成要素に対しては同一の符号を付して説明する。
【００２５】
図１は、本発明に係る一括開閉網システムを構成する、単位網構造の構成を示す説明図である。図において本単位網構造１５は、
（Ａ−１）略矩形状をなす単位網１１と、これを支持するための支持構造（後記支柱１４２、支持ワイヤ１４４を含んでなる。）とからなり、
（Ａ−２）該単位網１１の一方の側方（左右方向）端部は該支持構造上に固定された固定端部１１Ｓであり、他方の側方端部は該支持構造上で摺動可能な摺動端部１１Ｆであり、
（Ａ−３）該単位網１１の摺動端部１１Ｆは、その上端部と下端部にそれぞれ後記エンドレスワイヤに止着されるためのワイヤ止着部１３が設けられていることを、主たる構成とする（請求項１）。
【００２６】
【作用】
図１において、本単位網構造１５は上述のように構成されるため、開閉の単位となる単位網１１は、その固定端部１１Ｓにおいて該支持構造（支柱１４２）上に固定され、他方の側方端部である摺動端部１１Ｆは、支持構造（支持ワイヤ１４４）上で摺動可能であるため、これが固定端部１１Ｓ方向に摺動（図中、矢印Ｍの方向。）することによって、単位網１１全体が固定端部１１Ｓ方向にたたまれつつ移動し（Ｍの方向。）、単位網１１がたたまれ、開かれる。逆に、該摺動端部１１Ｆが支持構造（支持ワイヤ１４４）上で逆方向に摺動（図中、矢印Ｍの方向と反対方向。）することによって、単位網１１全体が固定端部１１Ｓから離れる方向に広げられつつ移動し（Ｍの反対方向。）、単位網１１が張られ、閉じられる。
【００２７】
前記単位網１１の摺動端部１１Ｆの上端部と下端部にはそれぞれワイヤ止着部１３が設けられ、これが後記エンドレスワイヤに止着されるため、後述するエンドレスワイヤ機構の作動、すなわちエンドレスワイヤの周回によって、該摺動端部１１Ｆは前記支持構造上を摺動し、上述のとおり固定端部１１Ｓ方向に単位網１１がたたまれることによる網全体の開きと、その逆方向に該単位網１１が張られることによる網全体の閉じ、つまり単位網１１の開閉がなされる。
【００２８】
図１において本単位網構造１５に係る前記支持構造は、
（Ａ−４）該単位網１１を固定するために立設された支柱１４２と、
（Ａ−５）該単位網１１の開閉方向に、その垂直方向の支持を補強するために一本または複数本横設された支持ワイヤ１４４とから、構成することができる（請求項２）。図では支持ワイヤ１４４は２本のみが示されているが、本発明に係る単位網構造１５において横設される支持ワイヤ１４４の数は、これに限定されず、適宜の数を用いて、単位網１１の垂直方向の支持をさせることができる。
【００２９】
図１において本単位網構造１５はまた、
（Ａ−６）これを前記支持ワイヤ１４４上で開閉方向に摺動させるための、該支持ワイヤ１４４を挿通できる摺動用リング１１８が、一本の支持ワイヤ１４４当たり一または複数設けられている構成とすることができる（請求項３）。かかる構成により、単位網１１は摺動用リング１１８において支持ワイヤ１４４に掛けられた状態であり、上述した単位網１１の支持ワイヤ１４４上での摺動は、適宜数設けられた該摺動用リング１１８が支持ワイヤ１４４上を摺動することによって円滑になされ、したがって、単位網１１の開閉は円滑になされる。
【００３０】
図１において本単位網構造１５は、これを左右方向に二以上連続して設けることによって連続網構造（図２の２０）が形成されるが、該連続網構造（図２の２０）を構成するいずれの単位網１１も、同一間隔および同一仕様にて連設することができる（請求項４）。これによって、後述するエンドレスワイヤ機構による駆動、周回の際、各単位網１１が水平方向に同時に同一変位量摺動し、各単位網構造１５において同時に同一変位量の開閉が可能となる。なお、同一にする仕様において、各単位網１１における固定端部１１Ｆと摺動端部１１Ｆの位置関係を統一することにより、各単位網１１の、同一方向への同時かつ同一変位量の摺動が可能となり、したがって、各単位網構造１５における、同一方向への同時かつ同一変位量の開閉が可能となる。
【００３１】
また図１において、前記単位網１１の摺動端部１１Ｆには、風等による網のめくれの防止、および該単位網１１の摺動における局部的な遅延を防止するための縁構造１１５を設けることもできる（請求項８）。該縁構造１１５は、本一括開閉網システムにより保護される圃場等が不要の遮光を受けないよう、透明または半透明の材料を用いて、該摺動端部１１Ｆに帯状に設ける構成とすることができる（請求項９）。
【００３２】
図２は、本発明に係る一括開閉網システムの構成を示す説明図である。図において本システム５０は、図１により説明した左右方向に開閉可能な単位網構造１５が、左右方向に二以上連続して設けられて連続網構造２０をなし、該連続網構造２０には各単位網１１を一括開閉させるためのエンドレスワイヤ機構３０が設けられ、かかる連続網構造２０と、エンドレスワイヤ機構３０からなることを、主たる構成とする（請求項１）。図において、連続網構造２０を構成する単位網構造１５の数は３であるが、本発明はこれに限定されず、適宜の数により連続網構造２０および一括開閉網システム５０を構成することができる。
【００３３】
図２において本一括開閉網システム５０は、
（Ｂ−１）これを構成する前記エンドレスワイヤ機構３０が、周回運動の可能なエンドレスワイヤ３３と、その周回運動を駆動するためにこれに設けられた駆動装置３５とからなり、
（Ｂ−２）該エンドレスワイヤ３３は、該連続網構造２０のなす略矩形の一部をなしている略コの字形（または略逆コの字形。）の三辺に沿って張設され、かつ、該略コの字形（または略逆コの字形。）の両末端部においてそれぞれ折返しのなされる、複線構造Ｔが形成された構成で張設され、これによって該単位網１１の開閉方向と平行に、該ワイヤによる複線構造Ｔが該連続網構造２０の上下各側（およびそれらをつなぐ間の領域にも）にそれぞれ形成されており、
（Ｂ−３）該エンドレスワイヤ３３上には、各単位網１１の前記上下のワイヤ止着部１３がそれぞれ止着されて、上下二箇所の連続網止着領域Ｎが形成され、
（Ｂ−４）該上下二箇所の連続網止着領域Ｎがエンドレスワイヤ３３の周回の際に、同一の側方方向（左右方向）に移動して全単位網１１の同時かつ同一方向への開閉がなされるように、前記上下それぞれの複線構造Ｔにおいて、これら上下それぞれの複線構造Ｔを形成する各二本の線のうち周回時の移動方向（一の方向について、矢印Ｍで表わす。）が上下間で相互に同じである特定の一方の線（並行線）に各単位網が止着されている、構成をとる（請求項１）。
【００３４】
【作用】
図２において本一括開閉網システム５０は上述のように構成されるため、左右方向に連続して連続網構造２０をなす各単位網構造１５においてなされる網の左右方向の開閉によって、システム５０全体としての網の開閉がなされる。該システム５０を構成するエンドレスワイヤ機構３０では、駆動装置３５の作動によりエンドレスワイヤ３３が周回運動する。すなわち、上述構成で張設されたエンドレスワイヤ３３は、駆動装置３５が図中矢印方向に回転されることによって、該ワイヤが矢印Ｍ方向に周回運動する。エンドレスワイヤ３３はその全体に亘って複線構造Ｔを有するため、該複線構造Ｔでは、これを構成する二本の線は相互に逆向きに移動する。したがって、連続網構造２０の上下各側に形成された各複線構造Ｔにおいては、これを構成する二本の線は相互に左右逆向きに移動し、つまり、上側において右側に移動する線があるとき、下側においても同じく右側に移動する線がある（これらの線を、「並行線」としている。）。
【００３５】
かかる並行線に各単位網１１が、上下の各ワイヤ止着部１３によって止着されてエンドレスワイヤ３３上における連続網止着領域Ｎを形成しているため、該上下二箇所の連続網止着領域Ｎは、前記駆動装置３５の駆動によりエンドレスワイヤ３３が周回すると、同一の側方方向（左右方向）に移動して、これにより、全単位網１１の同時かつ同一方向の開閉がなされ、本システム５０における、これを構成する各単位網１１の一括開閉がなされ、システム５０全体としての網の一括開閉がなされる。
【００３６】
図２の本一括開閉網システム５０において、前記単位網構造１５における支持構造を、前記単位網１１を固定するために立設された支柱１４２と、該単位網１１の開閉方向にその垂直方向の支持を補強するために適宜本数横設された支持ワイヤ１４４とから構成できることは、図１を用いて既に説明したとおりである（請求項２）。
【００３７】
図２の本発明一括開閉網システム５０において、前記単位網１１に、これを前記支持ワイヤ１４４上で開閉方向に摺動させるための摺動用リング１１８を適宜設けて、円滑な摺動およびそれによる単位網１１の開閉ができることは、図１を用いて既に説明したとおりである（請求項３）。
【００３８】
また、図２の本発明一括開閉網システム５０において、前記単位網構造１５をいずれも同一間隔および同一仕様にて連設して連続網構造２０とすることにより、前記エンドレスワイヤ機構３０を駆動、周回させると、各単位網１１が水平方向に同時に同一変位量摺動し、これによって各単位網構造１５において同時に同一変位量の開閉がなされることも、図１を用いた上述説明のとおりである（請求項４）。
【００３９】
図２において本発明の一括開閉網システム５０では、
（Ｂ−６）前記エンドレスワイヤ３３の折り返し構造を、方向反転用ガイドプーリ４１に前記ワイヤが掛け回されることにより、容易に形成することができる（請求項５）。該プーリ４１は略コの字形（または略逆コの字形。）をなすエンドレスワイヤ３３の両末端に、計２個設けることによって、本システム５０の折返し構造の形成と、それによる複線構造Ｔの形成を可能とする。また、
（Ｂ−７）前記エンドレスワイヤ３３中、前記上下の複線構造Ｔ間をつなぐ部分においても、２個の方向転換用ガイドプーリ４３に該ワイヤが掛け回されることによって、容易に上下間における方向転換をさせることができる（請求項６）。
【００４０】
図２において本発明の一括開閉網システム５０では、
（Ｂ−８）前記エンドレスワイヤ３３を、前記上下の複線構造Ｔ間をつなぐ部分において、ワイヤが交差しているワイヤ交差構造Ｘが一箇所ある構成とし、かかる構成により、上下二本の前記並行線としていずれもより連続網構造２０側に近い方の線を用いるようにすることができる（請求項７）。本システム５０では上述したように、連続網構造２０の上下に設けられる複線構造Ｔにおいて、並行線をなす一組の線（ワイヤ）に各単位網１１を止着させて連続網止着領域Ｎを形成することにより、各単位網１１の同一方向への同時かつ同変位量での一括摺動、一括開閉が可能となる。かかる並行線の構成としては、図３〜５に示すようなパターンがある。
【００４１】
図３は、エンドレスワイヤ３３において前記ワイヤ交差構造Ｘが一箇所形成される一括開閉網システムの構成を示す説明図である。この場合、並行線として、連続網構造２０に最も近接したワイヤ、換言すればエンドレスワイヤ３３のうち上下とも内側の線が、該連続網構造２０に止着され得る（請求項７）。かかる構成によれば、エンドレスワイヤ機構３０はその全般に亘り連続網構造２０の外側で運転される構成をとることができる。図中、矢印（Ｍ）は、エンドレスワイヤ３３の周回方向の例を示す。
【００４２】
図４は、エンドレスワイヤ３３において前記ワイヤ交差構造Ｘが形成されていない一括開閉網システムの構成を示す説明図である。この場合、並行線の一方（図では上側の複線構造に係る線。）として内側の線を用いれば、他方（図では下側の複線構造に係る線。）は外側の線を用いることになる。かかる構成によれば、エンドレスワイヤ機構３０はその上下の一方が、連続網構造２０と重なった位置で運転される構成となる。図中、矢印（Ｍ２）は、エンドレスワイヤ３３の周回方向の例を示す。
【００４３】
図５は、エンドレスワイヤ３３において前記ワイヤ交差構造Ｘが二箇所形成されている一括開閉網システムの構成を示す説明図である。この場合、並行線の一方（図では上側の複線構造に係る線。）として内側の線を用いれば、他方（図では下側の複線構造に係る線。）は外側の線を用いることになる。かかる構成によれば、エンドレスワイヤ機構３０はその上下の一方が、連続網構造２０と重なった位置で運転される構成となる。図中、矢印（Ｍ３）は、エンドレスワイヤ３３の周回方向の例を示す。
【００４４】
以上説明のとおり、図３に示す構成によれば、エンドレスワイヤ機構３０はその全般に亘り連続網構造２０の外側で運転される構成をとることができる。しかし、本発明は図３の例に限定されず、図４、５に示す構成をも排除するものではない。
【００４５】
図２において本発明の一括開閉網システム５０は、前記単位網１１の摺動端部１１Ｆに風等による網のめくれの防止および該単位網１１の摺動における局部的な遅延を防止するための縁構造１１５を設ける構成をとれること（請求項８）、また該縁構造１１５を、該摺動端部１１Ｆに帯状に設けられた透明または半透明の材料から構成できること（請求項９）は、図１を用いて既に説明したとおりである。
【００４６】
以上説明した本発明の一括開閉網システムは、防風用として用いることができる（請求項１０）が、本システムの用途はこれに限定されず、横方向から移動してくるあらゆる防御対象物・防御対象現象に対する防御用として用いることができる。たとえば、風と伴って横方向から移動してくる砂、雪に対する防砂、防雪、あるいは主として横方向から移動してくる昆虫等の防除対象動物に対する防虫、などを目的とした網を、低作業量、短時間で一括開閉できるシステムとして、本発明の一括開閉網システムを用いることができる。
【００４７】
【実施例】
以下、本発明の実施例を図を用いて説明するが、本発明がこれに限定されないことはいうまでもない。
＜実施例１＞
図６〜１６は、本発明実施例に係る一括開閉網システムの実施例を説明する図である。
図６は、単位網構造が連設されてなる一括開閉網システムの基本構成例を示した説明図である。図においてエンドレスワイヤ１は、前出図３と同様に構成されている。図中、Ｌは各支柱の中心線を示し、また、Ｒは各単位網におけるワイヤ止着部が設けられるべき位置を、支柱の中心線Ｌとの関係で規定した一定の寸法を示す。各単位網がサイズを始めとして同一仕様で構成され、Ｒが一定とされることによって、本例の一括開閉網システムはエンドレスワイヤ機構の駆動によって同一方向に同時かつ同変位量移動し、しかも各単位網に亘って、網の開き空間を同一幅とすることができる。
【００４８】
図７は、図６に示した本例システムの基本構成上に、防風網としての各単位網を表示した説明図である。単位網１０はそれぞれが防風目的に構成された網である。方向転換、折返し用の各プーリ３が設けられるが、プーリ２は特に、これに適宜の駆動手段を取り付けてエンドレスワイヤ１全体を周回させるための駆動用プーリである。本図は、防風網としての本例システムを全閉状態としたものである。
【００４９】
図８は、図７に示した防風網としての本例システムにおいて、各単位網を向かって右方向に一括摺動させてたたみ、網を開いた状態の説明図である。図のように各単位網が一括してたたまれて開かれ、各単位網を支持する支持ワイヤ４が本システム上で横設されている構造が明示されている。図６で説明したように本例一括開閉網システムは、同一変位量での網の開閉が可能であり、本説明の図８においても、各単位網構造に亘って同一変位量の網の開閉がなされ、同一幅の開き区間が形成されている。本図は、防風網としての本例システムを全開状態としたものである。
【００５０】
図９は、図７における支柱Ａの下部に設けられたプーリ２、３を中心としてこれを側面方向から見た要部側面図である。ここで駆動用プーリ２にはハンドルが設けられているが、本システムの駆動方法としては、手動による駆動、機械による駆動のいずれも用いることができる。
【００５１】
図１０は、図７における支柱Ａの上部に設けられたプーリ３、３を中心としてこれを側面方向から見た要部側面図である。である。エンドレスワイヤ１は各プーリに掛けられて、上述の複線構造を形成し、本発明システムの特徴の一つである、並行線構造を形成することができる。
【００５２】
図１１は、図７における支柱Ｂの上部に設けられたプーリ３を中心としてこれを上面方向から見た要部上面図である。
【００５３】
図１２は、図７における単位網（防風網）の断面図である。図において網１０には、上端部、下端部およびその中間位置の要所に形成ロープ５が設けられており、該形成ロープ５は網１０の全体形状・構造を規定するものとして網１０に固定されている。上端部および下端部の形成ロープ５にはそれぞれ連結金具８が固設されており、略Ｓ字状をなす該金具８の他端にはエンドレスワイヤ１が、これも固設されている。したがって、エンドレスワイヤ１の移動により網１０は移動することができる。一方中間位置に設けられる形成ロープ５には同様に支持金具６が固設されているが、略Ｓ字状をなす該支持金具６の他端には支持ワイヤ４が、摺設されている。したがって、エンドレスワイヤ１の移動に伴う網１０の移動の際、該金具６は該支持ワイヤ４上を摺動するため、円滑に網１０の移動がなされる。
【００５４】
図１３〜１６は、エンドレスワイヤにおける各プーリ２、３部分の正面図である。以上の構成により本例の一括開閉網システムは、駆動プーリ２における回転操作によって容易にエンドレスワイヤ１を周回させ、各単位網１０を同一方向に同時かつ同一変位量移動、開閉させることができ、開閉作業時間の短縮化、低労力化を実現できる。
【００５５】
【発明の効果】
本発明の一括開閉網システムは上述のように構成されているため、防風網等屋外に設置される網構造の開閉に掛かる労力と時間を、大幅に軽減することができる。
【図面の簡単な説明】
【図１】本発明に係る一括開閉網システムを構成する、単位網構造の構成を示す説明図である。
【図２】本発明に係る一括開閉網システムの構成を示す説明図である。
【図３】エンドレスワイヤにおいて前記ワイヤ交差構造が一箇所形成される一括開閉網システムの構成を示す説明図である。
【図４】エンドレスワイヤにおいて前記ワイヤ交差構造が形成されていない一括開閉網システムの構成を示す説明図である。
【図５】エンドレスワイヤにおいて前記ワイヤ交差構造が二箇所形成されている一括開閉網システムの構成を示す説明図である。
【図６】実施例において、単位網構造が連設されてなる一括開閉網システムの基本構成例を示した説明図である。
【図７】図６に示した本実施例システムの基本構成上に、防風網としての各単位網を表示した説明図である。
【図８】図７に示した防風網としての本実施例システムにおいて、各単位網を向かって右方向に一括摺動させてたたみ、網を開いた状態の説明図である。
【図９】図７における支柱Ａの下部に設けられたプーリを中心としてこれを側面方向から見た要部側面図である。
【図１０】図７における支柱Ａの上部に設けられたプーリを中心としてこれを側面方向から見た要部側面図である。
【図１１】図７における支柱Ｂの上部に設けられたプーリを中心としてこれを上面方向から見た要部上面図である。
【図１２】図７における単位網（防風網）の断面図である。
【図１３】エンドレスワイヤにおけるプーリ部分（左上）の正面図である。
【図１４】エンドレスワイヤにおけるプーリ部分（左下）の正面図である。
【図１５】エンドレスワイヤにおけるプーリ部分（右上）の正面図である。
【図１６】エンドレスワイヤにおけるプーリ部分（右下）の正面図である。
【符号の説明】
１…開閉用エンドレスワイヤ、  ２…駆動用プーリ、  ３…方向転換プーリ、
４…支持ワイヤ、  ５…形成ロープ、  ６…支持金具、  ７…固定金具、
８…連結金具、  ９…ネット、  １０…防風網（単位網）、  １１…単位網、
１１Ｆ…摺動端部、  １１Ｓ…固定端部、  １３…ワイヤ止着部、  １５…単位網構造、  ２０…連続網構造、  ３０…エンドレスワイヤ機構、  ３３…エンドレスワイヤ、  ３５…駆動装置、  ４１…方向反転用ガイドプーリ、  ４３…方向転換用ガイドプーリ、  ５０…一括開閉網システム、  １１５…縁構造、
１１８…摺動用リング、  １４２…支柱、  １４４…支持ワイヤ、
Ａ…支柱Ａ、  Ｂ…支柱Ｂ、  Ｃ…支柱Ｃ、  Ｄ…連結パイプ、  Ｇ…地面側、
Ｈ…上方側、  Ｌ…支柱の中心線、    Ｍ…エンドレスワイヤの移動方向例、
Ｎ…連続網止着領域、  Ｔ…複線構造、  Ｘ…ワイヤ交差構造、  Ｗ…単位網構造の幅
【図１】
2004298010.tif 000003
【図２】
2004298010.tif 000004
【図３】
2004298010.tif 000005
【図４】
2004298010.tif 000006
【図５】
2004298010.tif 000007
【図６】
2004298010.tif 000008
【図７】
2004298010.tif 000009
【図８】
2004298010.tif 000010
【図９】
2004298010.tif 000011
【図１０】
2004298010.tif 000012
【図１１】
2004298010.tif 000013
【図１２】
2004298010.tif 000014
【図１３】
2004298010.tif 000015
【図１４】
2004298010.tif 000016
【図１５】
2004298010.tif 000017
【図１６】
2004298010.tif 000018